(57)【要約】  【課題】米や野菜等を保存する低温貯蔵庫において、簡単、且つ安価で庫内の湿度を確実に維持できる低温貯蔵庫を提供するものである。  【解決手段】低温貯蔵庫１の庫内ダクト６内に導かれたドレン水１８が、蒸発シート１９に吸水され、この蒸発シート１９を冷気１６が通過する際に、ドレン水１８の水分を含み庫内に循環することによって、簡単な構造で、貯蔵室２内のデッドスペースを増大させることなく、貯蔵室２内を確実に加湿することができる低温貯蔵庫１を提供できるものである。【選択図】図１
2007093037.tif 000002
【特許請求の範囲】
【請求項１】
貯蔵室と貯蔵室の上面に配設する冷却ユニットとからなり、前記冷却ユニットは、断熱体内部に冷却器、冷却器用送風機、ドレン皿、冷気吸込口、冷気吹出口を有する冷却室と、前記冷却室に隣接する機械室と、から構成され、前記貯蔵室には、前記冷却ユニットの冷気吹出口用の庫内ダクトが配備されており、前記庫内ダクトは、前記ドレン皿から滴下するドレン水を貯水できる貯水部を備え、前記貯水部に蒸発シートを備えた低温貯蔵庫。
【請求項２】
前記庫内ダクトは、水平部と垂直部とからなるＬ字状であり、前記水平部を下方方向に突出させ貯水部を形成した請求項１に記載の低温貯蔵庫。
【請求項３】
前記貯水部の上端にドレン口と前記ドレン口に接続されたドレンホースを備えた請求項１または２に記載の低温貯蔵庫。
【請求項４】
前記庫内ダクトの冷気排出口には、上方方向に設けた折り返し部を備えた請求項１から３のいずれか一項に記載の低温貯蔵庫。
【請求項５】
前記貯蔵室内には冷気の風路用レールが配備されており、前記風路用レールの内部に前記ドレンホースが貫通する請求項１から４のいずれか一項に記載の低温貯蔵庫。
【請求項６】
前記貯蔵室の床面に、ドレンホース用の貫通穴を備えた請求項１から５のいずれか一項に記載の低温貯蔵庫。
【発明の詳細な説明】
【技術分野】
【０００１】
本発明は、玄米や野菜等の食品を長期間保存しておくために用いる低温貯蔵庫に関するものである。
【背景技術】
【０００２】
従来、この種の低温貯蔵庫は貯蔵室の上面に冷却ユニットを搭載している（特許文献１参照）。
【０００３】
図６は、特許文献１に記載された従来の低温貯蔵庫の斜視図である。図７は、従来の低温貯蔵庫の断面図である。
【０００４】
図６、図７に示すように、低温貯蔵庫１は、貯蔵室２と貯蔵室用断熱体３と庫内ダクト１０４と、が配備されている。また、貯蔵室２の上面に配備された冷却ユニット１０５には、機械室１０６と、断熱体１０７の内部に冷却器１０８、冷却器用送風機１０９、ドレン皿１１０を有する冷却室１１１と、が配備されている。また、冷却室１１１は、冷気吸込口１１２と冷気吹出口１１３とを庫内ダクト１０４で区画している。また、ドレン皿１１０の下面には、ドレンホース１１４が加湿ユニット１１５上面まで配備されている。加湿ユニット１１５には蒸発皿１１６と吸水材１１７と攪拌用モータ１１８と排水管１１９と、が配備されている。
【０００５】
以上のように構成された低温貯蔵庫について、以下その動作について説明する。
【０００６】
低温貯蔵庫１の貯蔵室２は、冷却ユニット１０５の冷却室１１１内の冷却器１０８により冷却された冷気を冷気吹出口１１３から排出することで冷却される。その際、ドレン皿１１０下部の庫内ダクト１０４により、「冷気吹出口１１３から排出した冷気が冷気吸込口１１１に戻り、貯蔵室２に冷気が流れ込まず貯蔵室２が冷えない。」というショートサーキット現象を防いでいる。
【０００７】
また、ドレン皿１１０は冷却器１０８から滴下するドレン水を受けるよう配備されており、滴下したドレン水はドレンホース１１４を通って加湿ユニット１１５の上面より滴下する構造を有している。
【０００８】
滴下したドレン水は、加湿ユニット１１５の蒸発皿１１６、及び蒸発皿１１６の上面に配備された吸水材１１７に蓄積するが、攪拌用モータ１１８によって蒸発し、貯蔵室２内を高湿度な環境を作り出す。しかし、貯蔵室２内の湿度が高まると、吸水材１１７からの蒸発量が低下してドレン水が蒸発皿１１６に溜まるようになる。このような状態になった場合には、排水管１１９を通して貯蔵室２の外に排出される。
【特許文献１】特開２００２−３２３２８２号公報
【発明の開示】
【発明が解決しようとする課題】
【０００９】
一般に低温貯蔵庫は、冷却ユニットの運転により貯蔵室内は湿度が低下して乾燥するので、農産物の収容にあたっては貯蔵室内を加湿することが要求されている。そこで、上記従来の構成で、農産物の収納物によって高湿環境が必要な場合には、ドレン水を貯蔵庫内で蒸発させることで高湿度環境を維持するようにしている。
【００１０】
しかしながら、上記従来の構成では、貯蔵室内に加湿ユニットや、ドレンホース、排水管を配備する必要があり、さらに、加湿ユニットには蒸発皿や、吸水材、攪拌用モータがあるため、施工に掛かる工数や部材コストが増大してしまう課題を有していた。
【００１１】
また、この加湿ユニットによって貯蔵庫内にデットスペースが発生し、庫内への収納量が低下してしまう課題を有していた。
【００１２】
本発明は、上記従来の課題を解決するもので、簡単な構造で、しかも貯蔵室内のデッドスペースを増大させることなく、貯蔵室内を確実に加湿することができるようにしたものである。
【課題を解決するための手段】
【００１３】
上記従来の課題を解決するために、本発明の低温貯蔵庫は、貯蔵室と貯蔵室の上面に配設する冷却ユニットとからなり、前記冷却ユニットは、断熱体内部に冷却器、冷却器用送風機、ドレン皿、冷気吸込口、冷気吹出口を有する冷却室と、前記冷却室に隣接する機械室と、から構成され、前記貯蔵室には、前記冷却ユニットの冷気吹出口用の庫内ダクトが配備されており、前記庫内ダクトは、前記ドレン皿から滴下するドレン水を貯水できる貯水部を備え、前記貯水部に蒸発シートを備えたものである。
【００１４】
これによって、簡単な構造で、しかも貯蔵室内のデッドスペースを増大させることなく、貯蔵室内を確実に加湿することができるようにしたものである。
【発明の効果】
【００１５】
本発明の低温貯蔵庫は、簡単な構造で、しかも貯蔵室内のデッドスペースを増大させることなく、貯蔵室内を確実に加湿することができる。また、蒸発シートを通過する冷気は、冷却室内の冷却器用送風機により発生しているため従来の装置を有効利用することにより安価で確実な加湿をすることができる。
【発明を実施するための最良の形態】
【００１６】
請求項１に記載の発明は、貯蔵室と貯蔵室の上面に配設する冷却ユニットとからなり、前記冷却ユニットは、断熱体内部に冷却器、冷却器用送風機、ドレン皿、冷気吸込口、冷気吹出口を有する冷却室と、前記冷却室に隣接する機械室と、から構成され、前記貯蔵室には、前記冷却ユニットの冷気吹出口用の庫内ダクトが配備されており、前記庫内ダクトは、前記ドレン皿から滴下するドレン水を貯水できる貯水部を備え、前記貯水部に蒸発シートを備えたことにより、簡単な構造で、しかも貯蔵室内のデッドスペースを増大させることなく、貯蔵室内を確実に加湿することができる。また、蒸発シートを通過する冷気は、冷却室内の冷却器用送風機により発生しているため、従来の装置を有効利用することにより安価で確実な加湿させることができる。
【００１７】
請求項２に記載の発明は、請求項１に記載の発明において、前記庫内ダクトは、水平部と垂直部とからなるＬ字状であり、前記水平部を下方方向に突出させ貯水部を形成したことにより、簡素な構造で貯水部を設けることができる。
【００１８】
請求項３に記載の発明は、請求項１または２に記載の発明において、前記貯水部の上端にドレン口と前記ドレン口に接続されたドレンホースを備えたことにより、庫内ダクト内に配備された蒸発シートの機能が低下もしくは低温貯蔵庫自体の異常な使われ方等によってドレン水量が増加した場合に、庫内ダクトの貯水部の上面に設けられたドレン口を介してドレンホースに排水されることができるので庫内の収納物を安心して保存することができる。
【００１９】
請求項４に記載の発明は、請求項１から３のいずれか一項に記載の発明において、前記庫内ダクトの冷気排出口には、上方方向に設けた折り返し部を備えたことにより、貯水部に溜まったドレン水が、低温貯蔵庫の扉の開閉時等でオーバーフローした場合、折り返し部で堰き止めることができ、庫内の収納物に滴下することのないようにすることができる。
【００２０】
請求項５に記載の発明は、請求項１から４のいずれか一項に記載の発明において、前記貯蔵室内には冷気の風路用レールが配備されており、前記風路用レールの内部に前記ドレンホースが貫通することにより、ドレンホースを風路用レールの穴に通すだけで、ドレンホースの固定等が不要となり、さらに、貯蔵室内の美観を損ねることなく、且つ軟質なドレンホースと農産物等とが接触を避けることができ、ドレンホースの機能を損なわない。
【００２１】
請求項６に記載の発明は、請求項１から５のいずれか一項に記載の発明において、前記貯蔵室の床面に、ドレンホース用の貫通穴を備えたことにより、簡単にドレンホースの先端を貯蔵室外に出すことができるため、設置の際にわずらわしい作業がほとんどなく、簡単に設置が完了できる。
【００２２】
以下、本発明の実施の形態について、図面を参照しながら説明する。なお、従来と同一構成については、同一符合を付して詳細な説明を省略する。また、この実施の形態によってこの発明が限定されるものではない。
【００２３】
（実施の形態１）
図１は、本発明の実施の形態１における低温貯蔵庫のドア部を開放した正面図である。図２は、同実施の形態における低温貯蔵庫の庫内ダクトの蒸発シート装着前の要部拡大斜視図である。
【００２４】
図１、図２において、低温貯蔵庫１は、貯蔵室２と貯蔵室用断熱体３、貯蔵室内風路用レール４、スノコ５、庫内ダクト６が配備されている。また、貯蔵室２の上面に配備された冷却ユニット７には、機械室８と、断熱体９の内部に冷却器１０、冷却器用送風機１１、ドレン皿１２を有する冷却室１３と、が配備されている。また、冷却室１３は冷気吸込口１４と、冷気吹出口１５とを庫内ダクト６で区画している。また、冷気１６は冷却室１３から冷気吹出口１５さらに庫内ダクト６を通して排出され、さらに、貯蔵室内風路用レール４近傍を通り、スノコ５の下面を通り、最終的に冷気吸込口１４に戻ってくる風路を示している。
【００２５】
また、庫内ダクト６は、水平部６Ｘと垂直部６ＹからなるＬ字状であり、水平部６Ｘと垂直部６Ｙには縁立て部６Ｚを備えており、庫内ダクト６は立体的な形状になっており、ドレン水１８の流路を形成している。
【００２６】
なお、水平部６Ｘには下方方向に突出した貯水部６ａが設けられており、貯水部６ａには蒸発シート１９が配備されている。また、排水口１７はドレン皿１２の下面に配備されており、ドレン水１８が庫内ダクト６に滴下するような形状で構成されている。
【００２７】
なお、庫内ダクト６は樹脂成形品であり、成形方法としては、射出成型もしくは真空成型で成型される。
【００２８】
蒸発シート１９は複数枚の平板形状のシートを一定間隔で並べ、蒸発シート１９の下端はドレン水１８に浸漬される。
【００２９】
以上のように構成された低温貯蔵庫について、以下その動作について説明する。
【００３０】
まず、貯蔵室２は、冷却ユニット７の冷却室１３内の冷却器１０により冷却された冷気１６を冷気吹出口１５から排出することで冷却される。その際、ドレン皿１２下部の庫内ダクト６により、「冷気吹出口１５から排出した冷気１６が冷気吸込口１４に戻り、貯蔵室２に冷気が流れ込まず貯蔵室２が冷えない。」というショートサーキット現象を防いでいる。
【００３１】
また、冷気吹出口１５から庫内ダクト６を通して排出された冷気１６は貯蔵室１の上面から貯蔵室内風路用レール４部位の空間とスノコ５の下を通り最終的に冷却室１５の冷気吸込口１４に戻るような風路を形成している。
【００３２】
また、庫内ダクト６には、貯水部６ａが設けられており、冷却器１０にて発生しドレン皿１２に滴下したドレン水１８は、ドレン皿の下面に配備された排水口１７より、庫内ダクト６に滴下するような形状を有している。庫内ダクト６には、そのドレン水１８を貯水できる貯水部６ａを配備しているため、ドレン水１８はこの貯水部６ａに導かれる。
【００３３】
また、この貯水部６ａには、蒸発シート１９が、貯水部６ａのスペースに収まるように配備されている。この蒸発シートは、冷気１６の妨げにならないようにシートの方向性が冷気１６と平行に配備されている。
【００３４】
以上のように、本実施の形態においては、庫内ダクト６内に導かれたドレン水１８が蒸発シート１９に吸水され、この蒸発シート１９を冷気１６が通過する際にそのドレン水１８の水分を庫内に循環して、簡単な構造で、しかも貯蔵室２内のデッドスペースを増大させることなく、貯蔵室２内を確実に加湿することができる。
【００３５】
また、蒸発シート１９を通過する冷気１６は、冷却室内１３の冷却器用送風機１１により発生しているため、従来の装置を有効利用することにより安価で確実な加湿をすることができる。
【００３６】
なお、本実施の形態では、庫内ダクト６は樹脂成形品としたが、金属の板金成形品でもよい。
【００３７】
また、図１、図２において、庫内ダクト６には貯水部６ａの上端付近にはドレン口６ｂが配備されており、さらにドレン口６ｂにはドレンホース２０が配備されており、ドレン水１８が排水できるように構成されている。
【００３８】
以上のように構成された低温貯蔵庫について、以下その動作、作用を説明する。
【００３９】
まず、庫内ダクト６の貯水部６ａに溜まったドレン水１８は通常、蒸発シート１９によって吸水され、冷気１６の通過の際、ドレン水１８が蒸発し庫内の湿度を確保している。しかし、庫内の湿度が異常に高い状態に陥ったり、低温貯蔵庫１自体の異常な使われ方によっては、蒸発シート１８の機能が低下して、ドレン水１８の量が貯水部６ａの許容量を超えることがある。
【００４０】
このような異常時で、貯水部６ａの許容量を超えることがあっても、あらかじめ配備されたドレン口６ｂと、その排出口６ｂに取り付けられたドレンホース２０によって、ドレン水１８が排水されるように構成されている。
【００４１】
以上のように、庫内ダクト６内に配備された蒸発シート１９の機能が低下もしくは低温貯蔵庫自体の異常な使われ方等によってドレン水１８量が増加した場合に、庫内ダクト６の貯水部６ａの上面に設けられたドレン口６ｂを介してドレンホース２０に排水されるようにしたことで、異常時においても確実に庫内の収納物を安心して保存することができる。
【００４２】
（実施の形態２）
図３は、本発明の実施の形態２における低温貯蔵庫の庫内ダクトの蒸発シート装着前の要部拡大斜視図を示すものである。
【００４３】
また、庫内ダクト６は、水平部６Ｘと垂直部６ＹからなるＬ字状であり、水平部６Ｘと垂直部６Ｙには縁立て部６Ｚを備えており、庫内ダクト６は立体的な形状になっており、ドレン水１８の流路を形成している。
【００４４】
なお、水平部６Ｘには下方方向に突出した貯水部６ａが設けられており、貯水部６ａには蒸発シート１９が配備されている。
【００４５】
庫内ダクト６には冷気排出口６ｃより冷気１６を貯蔵室２内に送り込んでいる。この冷気排出口６ｃとなる水平部６Ｘの先端には、上方方向に設けた折り返し部６ｄが配備されている。
【００４６】
以上のように構成された低温貯蔵庫について、以下その動作、作用を説明する。
【００４７】
まず、庫内ダクト６の貯水部６ａに溜まったドレン水１８は通常、蒸発シート１９によって吸水され、冷気１６の通過の際、ドレン水１８が蒸発し庫内の湿度を確保している。しかし、庫内の湿度が異常に高い状態に陥ったり、低温貯蔵庫１自体の異常な使われ方によっては、蒸発シート１８の機能が低下して、ドレン水１８の量が貯水部６ａの許容量を超えることがある。
【００４８】
このような異常時等の時に、庫内ダクト６の排水口６ｂからドレン水１８の排出がスムーズにいかなかった場合や、急な低温貯蔵庫の扉の開閉時等で貯水部のドレン水１８が庫内ダクト６の冷気排出口方向に負圧で引っ張られたとしても、庫内ダクト６の冷気排出口６ｃに配備された一定幅の折り返し６ｄによって、ドレン水１８は堰き止められるように構成されている。
【００４９】
以上のように、本実施の形態においては、ドレン水１８が庫内ダクト６の貯水部６ａからオーバーフローした場合でも、折り返し部６ｄで堰き止めることができ、庫内の収納物に滴下することがないようにしたものである。
【００５０】
なお、折り返し部６ｄは、庫内ダクト６と一体成形されていても、また、庫内ダクト６と別部材でもどちらでもよい。
【００５１】
（実施の形態３）
図４は、本発明の実施の形態３における低温貯蔵庫の風路用レールの要部拡大斜視図である。
【００５２】
図４において、貯蔵室２内において冷気１６の風路用レール４は空洞４ａを有した構造である。空洞４ａ内にドレンホース２０を収納できるようにしている。
【００５３】
以上のように構成された低温貯蔵庫について、以下その動作、作用を説明する。
【００５４】
まず、風路用レール４は低温貯蔵庫１の貯蔵室２内の左右、背面の３面に一定間隔に配備されている。これは庫内に収納した玄米等で冷気１６の風路が妨げられると、庫内温度にばらつきが生じ、収納物の保存に悪影響を及ぼすため、冷気１６の通り道を確保する上で重要な機能を備えている。
【００５５】
また、風路用レール４は、あらかじめ空洞４ａを有している。
【００５６】
一方、庫内ダクト６に配備されたドレン口６ｂに取り付けられたドレンホース２０は、ドレン口６ｂの距離に最も隣接している風路用レール４の空洞４ａ内に収納され、貫通されるように構成されている。
【００５７】
以上のように、本実施の形態において、風路用レール４は、ドレンホース２０を貫通させる空洞４ａが設けられている構造にしたことにより、ドレンホース２０をその風路用レール４の空洞４ａに通すだけで、ドレンホース２０の固定等が不要となり、さらに貯蔵室内の美観を損ねることなく、軟質なドレンホース２０と農産物等とが接触を避けることができ、ドレンホース２０の機能を損なわないようにしたものである。
【００５８】
（実施の形態４）
図５は、本発明の実施の形態４における低温貯蔵庫の貯蔵室内の要部拡大斜視図である。
【００５９】
図５において、貯蔵室２内の床面にはドレンホース２０用の貫通穴２１が配備され、低温貯蔵庫１の下にはドレンパン２２が配備されている。
【００６０】
以上のように構成された低温貯蔵庫について、以下その動作、作用を説明する。
【００６１】
まず、風路用レール４の内に収納されているドレンホース２０の先端は、貯蔵室２内の床面に設けられた貫通穴２１に通し、最終的に低温貯蔵庫１の外面に取り出され、低温貯蔵庫１の下に配備されたドレンパン２２に、ドレン水１８が貯水される。
【００６２】
以上のように、本実施の形態において、貯蔵室内の床面において、ドレンホース用の貫通穴を備えたことにより、簡単にドレンホースの先端を貯蔵室外に出すことができるため、設置の際にわずらわしい作業がほとんどなく、簡単に設置が完了できるようにしたものである。
【産業上の利用可能性】
【００６３】
以上のように、本発明にかかる低温貯蔵庫は、庫内ダクトにドレン水の貯水部を配備し、さらにその貯水部に蒸発シートを配備し、冷却室内で発生したドレン水を、貯水部に滴下する仕様にしたことにより、簡単な構造でしかも貯蔵室内のデッドスペースを増大させることなく、貯蔵室内を確実に加湿することができることから業務用冷蔵庫やプレハブ冷蔵庫等の用途にも適用できる。
【図面の簡単な説明】
【００６４】
【図１】本発明の実施の形態１における低温貯蔵庫のドア部を開放した正面図
【図２】同実施の形態における低温貯蔵庫の庫内ダクトの蒸発シート装着前の要部拡大斜視図
【図３】本発明の実施の形態２における低温貯蔵庫の庫内ダクトの蒸発シート装着前の要部拡大斜視図
【図４】本発明の実施の形態３における低温貯蔵庫の風路用レールの要部拡大斜視図
【図５】本発明の実施の形態４における低温貯蔵庫の貯蔵室内の要部拡大斜視図
【図６】従来の低温貯蔵庫の斜視図
【図７】従来の低温貯蔵庫の断面図
【符号の説明】
【００６５】
１    低温貯蔵庫
２    貯蔵室
４    風路用レール
６    庫内ダクト
６ａ  貯水部
６ｂ  ドレン口
６ｄ  折り返し部
６Ｘ  水平部
６Ｙ  垂直部
７    冷却ユニット
８    機械室
９    断熱体
１０  冷却器
１１  冷却器用送風機
１２  ドレン皿
１３  冷却室
１４  冷気吸込口
１５  冷気吹出口
１７  排水口
１８  ドレン水
１９  蒸発シート
２０  ドレンホース
２１  貫通穴
【図１】
2007093037.tif 000003
【図２】
2007093037.tif 000004
【図３】
2007093037.tif 000005
【図４】
2007093037.tif 000006
【図５】
2007093037.tif 000007
【図６】
2007093037.tif 000008
【図７】
2007093037.tif 000009